(57)【要約】【課題】  短い時間で聴力検査を行うことができるオージオメータを提供する。【解決手段】  制御部１０１は操作部１０６を経由して検査者から検査開始の指示を受け、切替部１０３に右耳を指定し、音源部１０２に１ｋＨｚかつ、３０ｄｂの発振音の発音を指示する。音源部１０２は制御部１０１の指示に基づいて音信号を生成し、切替部１０３を経由してスピーカー１０４Ｒに発振音を発音させる。被験者は音が聞こえた場合に応答スイッチ１０５を押下して制御部１０１に通知する。制御部１０１は被験者の通知を受け、音源部１０２の発音終了後に記憶部１０７に検査結果を書き込む。制御部１０１は他の周波数に関しても検査を行い、検査結果を表示部１０９に表示させる。また、制御部１０１は検査者の要求に応じて検査結果を印刷部１０８に出力して印刷する。【選択図】  図１
0003105794.tif 000002
【実用新案登録請求の範囲】
【請求項１】
周波数と音量との指示を入力し、前記指示に基づいて所定の時間、発音する音源部と、
被験者からの指示を受け、前記被験者の音の感知の通知を出力する応答スイッチと、
予め決められた複数通りの周波数と所定の音量と前記所定の音量よりも小さな音量との組み合わせの情報と、検査時の発音の順序とを含むデータである検査順序データを格納する記憶部と、
前記記憶部から前記検査順序データを読み出し、前記検査順序データの中から前記検査時の発音の順序に従って第１の組み合わせを選び、
前記音源部に前記第１の組み合わせの周波数と、前記第１の組み合わせの所定の音量よりも小さな音量とを指定して発音させ、
前記応答スイッチから前記被験者の音の感知の通知を入力した時のみ、正常と診断し、
前記応答スイッチから前記被験者の音の感知の通知を入力しない時のみ、前記音源部に前記第１の組み合わせの周波数と、前記第１の組み合わせの所定の音量とを指定して発音させ、
前記応答スイッチから前記被験者の音の感知の通知を入力した時のみ、難聴気味と診断し、
前記応答スイッチから前記被験者の音の感知の通知を入力しない時のみ、要精密検査と診断し、
前記検査時の発音の順序に従って前記検査順序データの中から第２の組み合わせを選び、同様の検査を行う制御手段と
を具備することを特徴とするオージオメータ。
【請求項２】
前記予め決められた複数通りの周波数と、所定の音量と、前記所定の音量よりも小さな音量との組み合わせは、
１キロヘルツと、５０デシベルと、３０デシベルとの組み合わせと、
２キロヘルツと、５０デシベルと、３０デシベルとの組み合わせと、
４キロヘルツと、５０デシベルと、４０デシベルとの組み合わせと、
８キロヘルツと、５０デシベルと、４０デシベルとの組み合わせと、
１２５ヘルツと、５０デシベルと、３０デシベルとの組み合わせと、
２５０ヘルツと、５０デシベルと、３０デシベルとの組み合わせと、
５００ヘルツと、５０デシベルと、３０デシベルとの組み合わせとからなる
ことを特徴とする請求項１に記載のオージオメータ。
【請求項３】
前記検査時の発音の順序は、
まず、１キロヘルツと、５０デシベルと、３０デシベルとの組み合わせがあり、
続いて、２キロヘルツと、５０デシベルと、３０デシベルとの組み合わせがあり、
続いて、４キロヘルツと、５０デシベルと、４０デシベルとの組み合わせがあり、
続いて、８キロヘルツと、５０デシベルと、４０デシベルとの組み合わせがあり、
続いて、１２５ヘルツと、５０デシベルと、３０デシベルとの組み合わせがあり、
続いて、２５０ヘルツと、５０デシベルと、３０デシベルとの組み合わせがあり、
続いて、５００ヘルツと、５０デシベルと、３０デシベルとの組み合わせがある
ことを特徴とする請求項２に記載のオージオメータ。
【請求項４】
周波数ごとの検査結果を記録する記憶領域中のレポートデータと、
レポートデータを入力して印刷する印刷部とを更に具備し、
前記制御手段は前記診断を行うとき、診断結果を周波数ごとに前記レポートデータに書き込み、ユーザの指示を受けた時のみ、前記レポートデータを記憶領域から読み出して前記印刷部へ出力する
ことを特徴とする請求項１〜請求項３のいずれかに記載のオージオメータ。
【請求項５】
前記制御部は、前記応答スイッチから前記被験者の音の感知の通知を入力した時、前記音源部に発音を中断させ、前記検査時の発音の順序に従って前記検査順序データ含まれる次の組み合わせを選び、検査を行うことを特徴とする請求項１〜請求項４のいずれかに記載のオージオメータ。
【考案の詳細な説明】
【技術分野】
【０００１】
本考案は、短い時間で聴力検査を行うことができるオージオメータに関するものである。
【背景技術】
【０００２】
企業や学校などでは定期的に健康診断を行い、これに併せて聴力検査を行うことがある。このような聴力検査においては１２５Ｈｚ、２５０Ｈｚ、５００Ｈｚ、１ｋＨｚ、２ｋＨｚ、４ｋＨｚ、および８ｋＨｚの７種類の周波数を使用し、周波数や音量、検査対象の耳の左右の別などを検査者がオージオメータに指定して検査を行う。こうした検査においては、検査者はまず、被験者の聞こえる音の周波数や音量を探り、他の周波数でも聞こえるか否かをチェックして行く。この際、検査者の作業は多くの部分が手作業であるため、被験者一人当たり６〜７分程度の時間が必要となる問題がある。この問題のために、学校や企業などにおいて多数の被験者が聴力検査を受ける場合には、被験者が長い時間、検査待ちをすることもある。
【０００３】
特許文献１が示すオージオメータは、被検者が音が出ていないにもかかわらず応答ボタンを押したままの状態にする等して正確な検査ができないケースを抑止し、これにより検査時間を短縮する技術である。しかし、特許文献１は被験者が応答ボタンを押したままにする等のエラーケースをターゲットにした技術であり、大多数の通常の検査を行うケースに関して効果を得ることができるものではない。
【特許文献１】特開平０７−３０８３１０号公報
【考案の開示】
【考案が解決しようとする課題】
【０００４】
本考案は上記の事情を考慮してなされたもので、その目的は、短い時間で聴力検査を行うことができるオージオメータを提供することにある。
【課題を解決するための手段】
【０００５】
この考案は前述の課題を解決するためになされたもので、請求項１の考案は、周波数と音量との指示を入力し、前記指示に基づいて所定の時間、発音する音源部と、被験者からの指示を受け、前記被験者の音の感知の通知を出力する応答スイッチと、予め決められた複数通りの周波数と所定の音量と前記所定の音量よりも小さな音量との組み合わせの情報と、検査時の発音の順序とを含むデータである検査順序データを格納する記憶部と、前記記憶部から前記検査順序データを読み出し、前記検査順序データの中から前記検査時の発音の順序に従って第１の組み合わせを選び、前記音源部に前記第１の組み合わせの周波数と、前記第１の組み合わせの所定の音量よりも小さな音量とを指定して発音させ、前記応答スイッチから前記被験者の音の感知の通知を入力した時のみ、正常と診断し、前記応答スイッチから前記被験者の音の感知の通知を入力しない時のみ、前記音源部に前記第１の組み合わせの周波数と、前記第１の組み合わせの所定の音量とを指定して発音させ、前記応答スイッチから前記被験者の音の感知の通知を入力した時のみ、難聴気味と診断し、前記応答スイッチから前記被験者の音の感知の通知を入力しない時のみ、要精密検査と診断し、前記検査時の発音の順序に従って前記検査順序データの中から第２の組み合わせを選び、同様の検査を行う制御手段とを具備することを特徴とするオージオメータである。
【０００６】
請求項２に記載の考案は、請求項１に記載のオージオメータであって、前記予め決められた複数通りの周波数と、所定の音量と、前記所定の音量よりも小さな音量との組み合わせは、１キロヘルツと、５０デシベルと、３０デシベルとの組み合わせと、２キロヘルツと、５０デシベルと、３０デシベルとの組み合わせと、４キロヘルツと、５０デシベルと、４０デシベルとの組み合わせと、８キロヘルツと、５０デシベルと、４０デシベルとの組み合わせと、１２５ヘルツと、５０デシベルと、３０デシベルとの組み合わせと、２５０ヘルツと、５０デシベルと、３０デシベルとの組み合わせと、５００ヘルツと、５０デシベルと、３０デシベルとの組み合わせとからなることを特徴とするものである。
【０００７】
請求項３に記載の考案は、請求項２に記載のオージオメータであって、前記検査時の発音の順序は、まず、１キロヘルツと、５０デシベルと、３０デシベルとの組み合わせがあり、続いて、２キロヘルツと、５０デシベルと、３０デシベルとの組み合わせがあり、続いて、４キロヘルツと、５０デシベルと、４０デシベルとの組み合わせがあり、続いて、８キロヘルツと、５０デシベルと、４０デシベルとの組み合わせがあり、続いて、１２５ヘルツと、５０デシベルと、３０デシベルとの組み合わせがあり、続いて、２５０ヘルツと、５０デシベルと、３０デシベルとの組み合わせがあり、続いて、５００ヘルツと、５０デシベルと、３０デシベルとの組み合わせがあることを特徴とするものである。
【０００８】
請求項４に記載の考案は、請求項１〜請求項３のいずれかに記載のオージオメータであって、周波数ごとの検査結果を記録する記憶領域中のレポートデータと、レポートデータを入力して印刷する印刷部とを更に具備し、前記制御手段は前記診断を行うとき、診断結果を周波数ごとに前記レポートデータに書き込み、ユーザの指示を受けた時のみ、前記レポートデータを記憶領域から読み出して前記印刷部へ出力することを特徴とするものである。
【０００９】
請求項５に記載の考案は、請求項１〜請求項４のいずれかに記載のオージオメータであって、前記制御部は、前記応答スイッチから前記被験者の音の感知の通知を入力した時、前記音源部に発音を中断させ、前記検査時の発音の順序に従って前記検査順序データ含まれる次の組み合わせを選び、検査を行うことを特徴とするものである。
【考案の効果】
【００１０】
請求項１の考案によれば、必要な聴力検査のパターンを人手を介さずに実行し、また、大きな音での検査も必要な場合にのみ実行するため、最小限の時間で検査を行うことができる効果がある。
【００１１】
請求項２、または、請求項３の考案によれば、ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）基準に即した音の高さと、音量とに従って、あるいは発音順序に従って検査を行うため、検査結果の客観的な評価等が容易となる効果がある。
【００１２】
請求項４の考案によれば、検査結果をすぐに印刷するため、検査結果の転記等に伴う書き間違い等を抑止することができる効果がある。
【００１３】
請求項５の考案によれば、ある検査の組み合わせで聴覚が正常である場合に、すぐに次の組み合わせで検査するため、さらに短い時間で検査を行うことができる効果がある。
【考案を実施するための最良の形態】
【００１４】
以下、図面を参照し、この考案の実施の形態について説明する。図１は本実施の形態におけるオージオメータ１００の構成を表している。制御部１０１はオージオメータ１００の制御機能であり、詳細は後述する。音源部１０２は制御部１０１の指示を受けて音信号を生成し、切替部１０３へ出力する。切替部１０３は制御部１０１の指示に基づいて音源部１０２から入力した音信号を被験者の左耳の検査に用いるスピーカー１０４Ｌまたは、被験者の右耳の検査に用いるスピーカー１０４Ｒへ出力して発音させる。
【００１５】
応答スイッチ１０５は、被験者がスピーカー１０４Ｌまたはスピーカー１０４Ｒから発音される音を知覚したことをオージオメータ１００に通知するための、押しボタン式のスイッチである。操作部１０６はオージオメータ１００が検査者からの指示を受け付けて制御部１０１へ通知する。記憶部１０７は図４に示す形式のレポートデータを格納する。また、記憶部１０７は検査における発振音の音量と、音の高さと、発音の順番との情報を含む検査順序データを格納する。この検査順序データは図３に示す内容のデータである。印刷部１０８は検査結果の印刷を行う。表示部１０９は検査結果を表示する。
【００１６】
次に、図を参照して本実施の形態におけるオージオメータ１００の動作について説明する。図２はオージオメータ１００の処理の流れを表している。いま、検査者は被験者の聴力検査を行おうとしている。検査者は被験者がスピーカー１０４Ｌと、スピーカー１０４Ｒとを正しく装着したことを確認し、オージオメータ１００の操作部１０６に検査開始の指示を入力する。
【００１７】
オージオメータ１００の制御部１０１は操作部１０６を経由して検査者の指示を入力し、記憶部１０７をアクセスして検査順序データを読み出し、被験者の右の耳に対して図３の括弧付き数字に示す順番での発振音の発音を開始する。まず、制御部１０１は被験者の右耳が検査対象であることから、切替部１０３に“Ｒ”を出力する。切替部１０３は制御部１０１からデータを入力し、スピーカー１０４Ｒが発音対象であることを認識し、“ＯＫ”を制御部１０１へ出力する。
【００１８】
制御部１０１は切替部１０３からデータを入力し、音源部１０２に“１ｋＨｚ”と、“３０ｄｂ”とを出力しての発振音の発音を要求する（図２のステップＳ０１、ステップＴ０１）。音源部１０２は制御部１０１からデータを入力し、１ｋＨｚの高さであり、かつ、３０ｄｂの大きさの発振音の音信号を生成し、所定の時間、切替部１０３へ出力し続ける。切替部１０３は音源部１０２からの信号を入力し、先ほどの制御部１０１の指示に従ってスピーカー１０４Ｒへ入力した信号を出力して発音させる。
【００１９】
被験者はスピーカー１０４Ｒからの発音を知覚した場合、応答スイッチ１０５を押下して音が聞こえたことをオージオメータ１００に通知する。応答スイッチ１０５は被験者の指示を受け、“ＯＮ”をオージオメータ１００の制御部１０１へ送信する。制御部１０１は応答スイッチ１０５からデータを入力し、被験者が発振音を知覚したことを検知する（図２のステップＴ０２が“Ｙｅｓ”）。そして、制御部１０１は音源部１０２の音信号の出力の終了を待つ。音源部１０２は所定の時間経過後に音信号の出力を停止し、発音終了を制御部１０１へ出力する。制御部１０１は音源部１０２からデータを入力し、記憶部１０７中の図４のレポートデータの「１ｋＨｚ」と、「右」とに対応するデータに正常を表す“○”を設定する（図２のステップＴ０３）。この場合、図３の（２）に示す１ｋＨｚと、５０ｄｂとの組み合わせに関する検査を行う必要は無い。
【００２０】
また、被験者はスピーカー１０４Ｒからの発振音が聞こえなかった場合、応答スイッチ１０５を押下するなどの反応を行わない。音源部１０２は所定の時間経過後に音信号の出力を停止し、発音終了を制御部１０１へ出力する。制御部１０１は音源部１０２からデータを入力し、被験者が発振音を知覚しなかったと判断する（図２のステップＴ０２が“Ｎｏ”）。
【００２１】
次に、制御部１０１は図３に示す順番に従い、音源部１０２に“１ｋＨｚ”と、“５０ｄｂ”とを出力しての発振音の発音を要求する（図２のステップＴ０４）。音源部１０２は制御部１０１からデータを入力し、１ｋＨｚの高さであり、５０ｄｂの大きさの発振音の音信号を生成し、所定の時間、切替部１０３へ出力し続ける。切替部１０３は音源部１０２からの信号を入力し、先ほどの制御部１０１の指示に従ってスピーカー１０４Ｒへ入力した信号を出力して発音させる。
【００２２】
被験者はスピーカー１０４Ｒからの発振音を知覚した場合、応答スイッチ１０５を押下して発振音が聞こえたことをオージオメータ１００に通知する。応答スイッチ１０５は被験者の指示を受け、“ＯＮ”をオージオメータ１００の制御部１０１へ送信する。制御部１０１は応答スイッチ１０５からデータを入力し、被験者が発振音を知覚したと判断する（図２のステップＴ０５が“Ｙｅｓ”）。そして、制御部１０１は音源部１０２の音信号の出力の終了を待つ。音源部１０２は所定の時間経過後に音信号の出力を停止し、発音終了を制御部１０１へ出力する。制御部１０１は音源部１０２からデータを入力し、記憶部１０７中の図４のレポートデータの「１ｋＨｚ」と、「右」とに対応するデータに難聴気味を表す“△”を設定する（図２のステップＴ０６）。
【００２３】
また、被験者はスピーカー１０４Ｒからの発振音が聞こえなかった場合、応答スイッチ１０５を押下するなどの反応を行わない。音源部１０２は所定の時間経過後に音信号の出力を停止し、発音終了を制御部１０１へ出力する。制御部１０１は音源部１０２からデータを入力し、被験者が発振音を知覚しなかったと判断する（図２のステップＴ０５が“Ｎｏ”）。制御部１０１は記憶部１０７中の図４のレポートデータの「１ｋＨｚ」と、「右」とに対応するデータに要精密検査を表す“×”を設定する（図２のステップＴ０７）。
【００２４】
以降、制御部１０１は図２のステップＳ０２〜ステップＳ０７において、各周波数に関して同様の処理を行う。ただし、４ｋＨｚと、８ｋＨｚに関しては、３０ｄｂの代わりに４０ｄｂで検査を行う（図２のステップＴ０１）。また、制御部１０１は左耳に関しても同様の検査を行い、結果を記憶部１０７中の図４に示すレポートデータに書き込む。
【００２５】
次に、制御部１０１は記憶部１０７から図４に示すレポートデータを読み出し、表示部１０９に読み出したレポートデータを出力して表示させ、検査の完了を検査者に通知する。検査者はオージオメータ１００の表示部１０９を確認し、必要に応じて操作部１０６へ印刷の指示を入力する。オージオメータ１００の制御部１０１は操作部１０６経由で検査者の指示を入力し、記憶部１０７から図４に示すレポートデータを読み出し、印刷部１０８へ出力して図５に示すレポートを印刷させる。
【００２６】
以上、図面を参照して本考案の実施形態について詳述してきたが、具体的な構成はこれらの実施の形態に限られるものではなく、この考案の要旨を逸脱しない範囲の設計変更等も含まれる。例えば、図２のステップＳ０１〜ステップＳ０７において、制御部１０１は被験者が発振音を知覚した場合（図２のステップＴ０２が“Ｙｅｓ”または、ステップＴ０５が“Ｙｅｓ”）には音源部１０２の音信号の出力の終了を待ったが、このようなケースでは音源部１０２に音信号の出力の中断を指示して次の周波数の検査を行っても良い。処理時間が短縮される効果がある。
【００２７】
また、本実施の形態においては、音源部１０２が音信号を生成し、所定の時間、この音信号を切替部１０３へ出力し続けるが、この所定の時間を検査者が設定、変更しても良い。老人を対象とした介護施設等での健康診断の際にはこの所定の時間を長くするといった調整が可能となり、有効である。
【図面の簡単な説明】
【００２８】
【図１】本考案の実施の形態におけるオージオメータの構成を表すブロック図である。
【図２】本考案の実施の形態におけるオージオメータの処理の流れを表すフローチャートである。
【図３】本考案の実施の形態におけるオージオメータの周波数毎の検査の順番を表す図である。
【図４】本考案の実施の形態におけるオージオメータの使用するデータを表す図である。
【図５】本考案の実施の形態におけるオージオメータの検査結果の印刷例を表す図である。
【符号の説明】
【００２９】
１００…オージオメータ
１０１…制御部
１０２…音源部
１０３…切替部
１０４Ｌ、１０４Ｒ…スピーカー
１０５…応答スイッチ
１０６…操作部
１０７…記憶部
１０８…印刷部
１０９…表示部
【図１】
0003105794.tif 000003
【図２】
0003105794.tif 000004
【図３】
0003105794.tif 000005
【図４】
0003105794.tif 000006
【図５】
0003105794.tif 000007